(57)【特許請求の範囲】
【請求項１】
引き戸の上端面部に装着され鴨居の溝に滑合して引き戸の開閉時に溝方向に案内する引き戸の案内具であって、
前記案内具は、前記上端面部の長手方向に沿って間隔をおいて対峙する固定ブロック、可動ブロック及び該両ブロックの共通側面間に渡りブロック相互を一体に連結する一対の弾性撓み片を有する主体部と、前記両ブロック間に貫通状に渡り、軸の一端を捻回操作することによりブロック相互を引き付けることを通して前記弾性撓み片をそれぞれ外方に膨出させ、前記鴨居の溝との間隔を調整する調節ねじとを備えており、
前記固定ブロック、前記可動ブロック及び前記一対の弾性撓み片は合成樹脂を材料で一体に形成されており、
前記固定ブロック及び前記可動ブロックには直線上に沿う貫通状のねじ挿通孔を穿ち、該挿通孔に調節ねじを挿通すると共に、調節ねじの先端部が挿通するいずれか一方のブロックの挿通孔にナットを埋設して前記調節ねじのねじ軸部が螺合しており、
前記固定ブロックには取付台を形成して引き戸の上端面部にねじ止めするねじの透孔を穿つ一方、前記可動ブロックに形成する取付台には引き戸の上端面部の長手方向に沿ったねじ止め用長孔を穿ち、調節ねじの捻回操作時に該ねじ止め用長孔の案内により前記可動ブロックを可動調整するように構成されていることを特徴とした引き戸の案内具。
【請求項２】
固定ブロック及び可動ブロックのそれぞれには各対向面から相手対向面に向けて接近移動時の振れ止め用案内突片を喰い違い状に突設したことを特徴とした請求項１に記載の引き戸の案内具。
【請求項３】
鴨居は溝の端部に溝幅を縮小し、主体部の側面から膨出する弾性撓み片の侵入を許しながら圧接触させることにより前記鴨居の溝に沿って誘導される引き戸の移動を抑制するブレーキ部材を装着したことを特徴とした請求項１又は２に記載の引き戸の案内具。
【請求項４】
鴨居は溝の開口縁部に全長に亘って内向きに突き出す係止突条を備え、前記溝に滑合する主体部の外方に膨出する弾性撓み片の底辺部を受けて溝からの脱出を防止するように構成されていることを特徴とした請求項１から３のいずれか１項に記載の引き戸の案内具。
【発明の詳細な説明】
【技術分野】
【０００１】
本発明は、鴨居の溝に滑合させ引き戸の開閉時に安定して誘導支持する引き戸の案内具に関する。
【背景技術】
【０００２】
知られる様に引き戸は、敷居と鴨居によって起立した状態に支持され、開閉操作時にはこの敷居と鴨居を案内に移動し、開閉されるものになっている。
この敷居と鴨居によって支持される引き戸は、開閉操作時に円滑な移動が行えるように、敷居に対してはこれに付設するレールに安定した状態で載置して、戸車等を介してスムーズに移動するように組み付け、また鴨居に対しては鴨居の溝に上端部を嵌め入れ、滑合させるようにしてある。そして、溝に対しては引き戸の上記上端部との間に所要の空隙を設けて移動時の摩擦抵抗を小さくし、よりスムーズな移動がなされるようにしてある。
【０００３】
この様なことから引き戸の重量を受ける敷居との折り合いが付けば、つまりレールとこれに滑合する戸車等が適合し、引き戸の移動時にレール上を円滑に戸車が回転すれば、一応引き戸は問題なく開閉操作されることになる。
しかし、引き戸と鴨居との関係は鴨居の溝と引き戸の上端部との嵌合状態の調整を必要とすることから、必ずしも引き戸を安定的に、しかも円滑に移動誘導することは容易ではない。
【０００４】
つまり、鴨居の溝とこれに滑合する引き戸の上端部とは前述した通り摩擦抵抗を小さくするため、両者間に所要の空隙を設けるものとするが、この空隙が大き過ぎると、引き戸のガタ付きが大きくなり、開閉操作時の円滑性を損う逆効果となったり、騒音を発する原因となる。ことに開放状態時、更には閉塞状態時に風圧を受けると、簡単に引き戸が揺さぶられることになるため、室内の静寂を壊す問題がある。
【０００５】
勿論、これらの問題は引き戸の上端部とこれを受け入れ滑合する鴨居の溝との空隙を最小のものにすれば容易に解決できる問題ではあるが、実際の製造において、この最小の空隙を創り出すことは簡単なことではなく、ときには製造誤差によって両者が圧接し合って円滑な開閉操作ができなくなる。このため一般にやや大きめの空隙を設定して多少のガタ付きを容認しているのが実情である。
【０００６】
この様な問題を解決する方策として従来引き戸の上端に鴨居当て具を備えた提案が、例えば特許文献１によってなされている。
【特許文献１】特開２００１−３１７２７２号公報
【０００７】
特許文献１に記載の発明は、引き戸Ａの上部Ａａに鴨居当て具Ｄを備えてこの鴨居当て具Ｄを鴨居Ｂの溝Ｃに滑合することによって鴨居の溝Ｃを案内にして引き戸Ａを開閉操作するようにしたものである。そして、上記鴨居当て具Ｄは一対の起立側板部２２、２３と、この起立側板部２２、２３の間においてスクリューロッド２６の捻回操作によって移動調整可能にした移動支承板２４とを備え、前記起立側板部２２、２３のいずれかと、前記移動支承板２４との間に渡る一対の板状の弾性片３０、３０を前記スクリューロッド２６の捻回操作で圧縮することによって外方に撓ませ、これによってこの弾性片３０、３０を前記鴨居の溝Ｃの溝面Ｃａに接触調整し、引き戸Ａと鴨居Ｂの溝Ｃとの空隙を調整してガタ付きを解消するようにしたものである。
【０００８】
この特許文献記載の発明は、スクリューロッド２６を捻回操作することで弾性片３０、３０を撓ませて溝Ｃの溝面Ｃａとの距離を自由に調整できることから引き戸Ａの製造後、鴨居の溝Ｃａとの調整が容易に行うことができ、開閉操作時の移動を円滑に行うことができるものとなっている。
【０００９】
しかし、ここに提案された特許文献記載の発明は、向い合せに一体となる起立側板部２２、２３とは別体に形成される移動支承板２４を上記起立側板部２２、２３間に収めると共に、この起立側板部のいずれかと移動支承板２４との間に弾性片３０、３０を渡す構造とすることから、複雑な構造となり、製造性に欠ける問題がある。
【００１０】
更にこの提案はスクリューロッド２６の捻回によって前記移動支承板２４と一方の起立側板部２３（又は２２）との距離を縮め弾性片３０、３０を圧縮したとき、この弾性片３０、３０の反発によって移動支承板２４に位置ずれを起す問題があることから、実質的には各実施の形態において説明されるようにカバー３２によって被い、位置ずれを矯正するものとしている。従って、別部材として上記カバー３２を要するものとなっている。つまり、この提案に係る鴨居当て具Ｄはカバー３２を組合せることによって本来の機能を発揮するものであり、更に構造を複雑なものにしているのである。
【発明の開示】
【発明が解決しようとする課題】
【００１１】
本発明は、上記従来の事情に鑑み、構造を簡略化して製造性を高めると同時に、引き戸に対する装着性の改善を計ったことにある。
更に加えて本発明は、引き戸と鴨居との係合関係を強化して引き戸が敷居から外れて落下の危険を生じたとき、鴨居からの脱落を防止し、引き戸の転倒を未然に防止するようにした引き戸の案内具を提供しようとするものである。
また、本発明は、引き戸の開閉操作において、閉塞状態に至ったとき、又は開放状態に至ったとき、引き戸に移動の抵抗を付加してブレーキを作用させ、移動速度の減少によって開閉操作時の衝突音を未然に解消するようにした引き戸の案内具を提供しようとするものである。
【課題を解決するための手段】
【００１２】
本発明は、上記の目的を達成するため、間隔をおいて対峙する固定ブロックと可動ブロックの共通側面側に渡り両ブロックを一体に連結する一対の弾性撓み片を備える主体部、及び前記固定ブロックと可動ブロックを貫通して両ブロック間に渡り、一端を捻回操作することにより両ブロックを引き寄せ間隔を狭めることを通して前記弾性撓み片を外方に膨出させる調節ねじからなる引き戸の案内具を提案するものである。
【００１３】
そして、本発明は上記案内具を引き戸の上端面部に装着して鴨居に形成する溝に嵌め込み滑合させると共に、この案内具の前記調節ねじの捻回によって前記弾性片を外に向けて拡張膨出させ、前記鴨居の溝に接近させることによって安定的に引き戸を鴨居の溝に関係付けることができるようにしたことにある。
【００１４】
この様にすることによって、本発明は案内具の主体部を一体化し、一部品とすることができるもので、この主体部に調節ねじを組付けることで完成することができるものとなることから製造性に優れ、取り扱いにおいても極めて容易なものとなっているのである。
【００１５】
更に本発明を詳述すると、この発明は、引き戸の上端面部に装着され鴨居の溝に滑合して引き戸の開閉時に溝方向に案内する引き戸の案内具を提供する。案内具は上端面部の長手方向に沿って間隔をおいて対峙する固定ブロックと可動ブロック及び該両ブロックの共通側面間に渡りブロック相互を一体に連結する一対の弾性撓み片を有する主体部と、両ブロック間に貫通状に渡り、軸の一端を捻回操作することによりブロック相互を引き付けることを通して弾性撓み片をそれぞれ外方に膨出させ、鴨居の溝との間隔を調整する調節ねじとを備えている。固定ブロック、可動ブロック及び一対の弾性撓み片は合成樹脂を材料で一体に形成されている。固定ブロック及び可動ブロックには直線上に沿う貫通状のねじ挿通孔を穿ち、挿通孔に調節ねじを挿通すると共に、調節ねじの先端部が挿通するいずれか一方のブロックの挿通孔にナットを埋設して調節ねじのねじ軸部が螺合している。固定ブロックには取付台を形成して引き戸の上端面部にねじ止めするねじの透孔を穿つ一方、可動ブロックに形成する取付台には引き戸の上端面部の長手方向に沿ったねじ止め用長孔を穿ち、調節ねじの捻回操作時にねじ止め用長孔の案内により可動ブロックを可動調整するように構成されている。
【００１９】
また本発明は、前記固定ブロックと可動ブロックのそれぞれには各対向面から相手対向面に向けて接近移動時の振れ止め用案内突片を喰い違い状に突設することを特徴とした引き戸の案内具を提供することにある。
【００２０】
また更に本発明は、前記鴨居は溝の端部に溝幅を縮小し、主体部の側面から膨出する弾性撓み片の侵入を許しながら圧接触させることにより前記鴨居の溝に沿って誘導される引き戸の移動を抑制するブレーキ部材を装着することを特徴とした引き戸の案内具を提供することにある。
【００２１】
また更に本発明は、前記鴨居は溝の開口縁部に全長に亘って内向きに突き出す係止突条を備え、前記溝に滑合する主体部の外方に膨出する弾性撓み片の底辺部を受けて溝からの脱出を防止することを特徴とした引き戸の案内具を提供することにある。
【００２２】
上記本発明に係る引き戸の案内具は、実際の使用においては主体部に対して固定ブロックと可動ブロックを貫通する如く調節ねじを組付け、完成させた状態にして引き戸の上端面の端部に載置することになる。そうしたのち、固定ブロックを止めねじによってしっかり固定すると共に、他方の可動ブロックを移動可能な状態にねじ止めして装着を完了する。
【００２３】
この様にして案内具を引き戸に装着したのち、この案内具を鴨居の溝に嵌め入れ、併せて引き戸の下端を敷居の溝若しくはこれに付設するレールに滑合させて引き戸を起立した状態に保持する。次に、この状態において前記案内具の捻回ねじを操作して固定された固定ブロックに対して可動ブロックを引き寄せ、両ブロックの間隔を狭めることを通してブロック間を繋ぐ弾性撓み片を外に向けて撓ませ、これを膨出させることで鴨居の溝の側壁面に接近させて軽く接触若しくは僅かに空隙ができる程度に対面させて鴨居に対する引き戸の建て付けを行うのである。
【００２４】
上記建て付けられた引き戸は、開閉操作に当って敷居上を移動すると同時に、鴨居の溝に滑合させた案内具によって起立した状態に保持され、且つ、この溝を案内にして開閉操作されることになる。
そしてこのとき、鴨居の溝に滑合する案内具は主体部から外に向けて膨出する弾性撓み片を溝の両側壁面に臨ませ、両者の空隙を必要最小限とすることから溝とのガタ付きを解消すると同時に、無用な摩擦を回避することになるため円滑な摺動が保障されることになる。
【００２５】
尚、前記弾性撓み片の溝に対する接触状態は案内具を鴨居の溝に嵌合させた状態において、引き戸の端部側に露出する調節ねじをドライバー等の工具を使って捻回操作することができることから建て付けた状態で任意に調節することが可能であり、装着した後において最善の滑合状態に設定することができるものとなる。
【００２６】
ところで、本発明においては、前記案内具を滑合し、案内する鴨居の溝について、開口縁部の全長に亘って係止突条を備えて主体部から膨出する弾性撓み片を下から受ける状態で滑合する構造を採ることから、引き戸が敷居から脱落したとき、引き戸の落下と同時に前記弾性撓み片が前記係止突条に係合することになる。このため、落下から救われ、転倒する危険から有効に回避されることになる。
【００２７】
また、本発明においては、前述の通り、鴨居の溝の端部にはブレーキ部材が装着されることから、引き戸の開閉移動によって閉塞状態若しくは開放状態に達したとき、溝の側面壁に臨む前記弾性撓み片がこのブレーキ部材に乗り上げ摩擦力を強めて抵抗体となることからブレーキ作用が働いて引き戸の移動を抑制し、戸当り部分との強い衝突を回避することもできる。
【発明の効果】
【００２８】
本発明は上述の如く構成され、主体部の一体的成形が可能であることから、製造性に優れると共に、この主体部の固定及び可動ブロックを個々に引き戸の上端面部にねじ止めすることで装着することができるため取扱い易い利点がある。
しかも、本発明に係る案内具は引き戸に装着した状態において調節ねじの捻回操作により弾性撓み片の膨出具合を調整し鴨居の溝との間隔を調節できるため、常に最適な状態で使用できる利点がある。
【００２９】
また、本発明案内具は、鴨居の溝に形成する係止突条との係合関係を保つことによって敷居からの脱落時における転倒の危険を回避することができると共に、この鴨居の溝の端部に備えるブレーキ部材との圧接触によって開閉操作時の走行速度を制御できる構造としたことから戸当り部材との強い衝突を回避し、引き戸による指の挟み付けや衝突音の発生を防止することができる。
【発明を実施するための最良の形態】
【００３０】
添付する図面は本発明の実施の形態を示す一例であって、図１〜図１７は第１の実施形態を、図１８〜図２０は第２の実施形態を、更に図２１、図２２は第３の実施形態を示すものである。以下、これらの各形態につき本発明の実施例として説明し、その特徴とするところを詳述することにする。
【実施例１】
【００３１】
図１は本発明に係る引き戸の案内具の使用状態の説明図で、図中の符号１は引き戸を示し、２はこの引き戸１を支持する鴨居、３は鴨居２の下面に付設したレール、４はレール３に滑合させた本発明の案内具である。
レール３は、鴨居に形成する溝を代用するもので、ここでは下に向けて開口する断面コ字形の金属枠材によって形成してあり、鴨居２の全長に亘って付設してある。
【００３２】
案内具４は引き戸１の上端面部に突設する案内突条５の両端部を切欠き形成する装着部６、６に取付けて前記レール３に対して上記案内突条５と共にその開口部から差し入れ、滑合することになる。
【００３３】
この案内具４を更に詳述すると、ここでは合成樹脂、更に具体的には４フッ化エチレンを材料に図２乃至図５に示したように固定ブロック４ａと可動ブロック４ｂを間隔をおいて対峙した状態に置き、この両ブロックの共通側面間に帯状をなす左右の弾性撓み片７、７を渡して一体に連結し、これによって横長の棒状をなす主体部を構成する。
【００３４】
上記２つのブロック４ａ、４ｂを繋ぐ左右の弾性撓み片７、７は、向い合せとなる対向面８、９の上半部分の間に並行した状態で渡り、この対向面８、９の下半部分には後述するように両ブロック４ａ、４ｂを引き寄せる際に直線的に接近させるための誘導用の案内突片１０、１１が設けられる。
【００３５】
上記案内突片１０、１１は両ブロック４ａ、４ｂの中間位置において先端部が喰い違い状に交差するようにしてあり、両ブロックが引き寄せられたとき、並行する２つの案内突片１０、１０間に他方の案内突片１１が侵入し、これにより互いが誘導手段となって直線的な突き合せからブロック４ａ、４ｂ相互が直線的に接近するようにしてある。
【００３６】
図中１２及び１３は、固定ブロック４ａの対向面８と可動ブロック４ｂの対向面９に貫通状に穿ったねじの挿通孔であり、１４、１５は固定ブロック４ａと可動ブロック４ｂのそれぞれの取付台、１６、１７は取付台１４、１５にそれぞれ設けたねじ止め用の透孔である。
【００３７】
ねじの挿通孔１２及び１３は、固定ブロック４ａと可動ブロック４ｂとを引き寄せる調節ねじ１８を挿通するための透孔であり、可動ブロック４ｂに設けられる挿通孔１３には中間部を横切って上面側から溝１９が穿たれ、調節ねじ１８を受けるナット２０が埋設される。
そして、各ブロック４ａ、４ｂには前記挿通孔１２、１３に通す調節ねじ１８の端部を収める凹部２１、２２が形成され、主体部の外にねじの頭部１８ａ及び軸端部が突出しないようにしてある。
【００３８】
前記ねじ止め用の透孔１６、１７のうち、固定ブロック４ａにおける透孔１６は止めねじ２３を通す丸穴として形成してあり、他方の可動ブロック４ｂの透孔１７は固定ブロック４ａ側に向って長孔として形成してある。
【００３９】
図６は、上記の如く構成された本発明案内具４を引き戸１の上端面部に装着する実際を説明した斜視図である。案内具４は引き戸１の装着部６に載置するように添わせたのち、固定ブロック４ａの取付台１４に穿つ透孔１６にねじ２３を通して装着部６にねじ付け、固定する一方、可動ブロック４ｂの取付台１５に穿つ長孔１７に同様にねじ２３を通してこれを装着部６にねじ付け、その装着を行うことになる。
このとき、長孔１７に通すねじ２３は長孔１７の固定ブロック４ａ側の端部に添わせて通すと共に、ねじ２３の頭部によって取付台１５が完全に固定されない状態、つまり移動することが可能な状態に止め付けるようにする。
【００４０】
この様にして装着部６に案内具４を取付けたのち、固定ブロック４ａの挿通孔１２側から調節ねじ１８をワッシャ２４を介挿しながら差し通し、更に可動ブロック４ｂの挿通孔１３に通してこれに埋設するナット２０に螺装することによって２つの挿通孔１２、１３を貫通させ、案内具４の主体部に対する調節ねじ１８の組付けを完了する。そして、これによって引き戸１に対する案内具４の装着を完了するのである。
この案内具４の取付作業は、引き戸１の上端面部における両端部において行うことになり、この取付けの後鴨居２に設けるレール３に案内突条５と共に嵌め付けて滑合させることになる。
【００４１】
図７は、上記レール３に滑合させた案内具４の平面図であり、図８はこの案内具４をレール３に嵌め付けたのち、前記調節ねじ１８の捻回操作によって可動ブロック４ｂを固定ブロック４ａに引き寄せ、両ブロックの間隔を縮めることによって両ブロック４ａ、４ｂ間を繋ぐ左右の弾性撓み片７、７を圧縮して変形させ、外に向けて撓ませた状態を示す平面図である。
【００４２】
前記引き戸１の上端面部に装着された案内具４は弾性撓み片７、７を真直に伸した状態にあることから引き戸１の案内突条５と共にレール３の内側に入り込み、収まることになる。
【００４３】
ところで、この実施例における前記レール３は左右に対向して垂下する側壁面３ａ、３ａの下端、つまり左右の開口縁部に内に向けて係止突条３ｂ、３ｂを全長に亘って延設し、実質的に開口部の幅をこの係止突条３ｂ、３ｂ間の幅に狭めてあることから、前記案内具４はこの狭められた開口部を通してレール３に差し込まれることになる。
【００４４】
この様にしてレール３に対する案内具４の嵌め込みを行ったのち、固定ブロック４ａの凹部２１内に露出する調節ねじ１８の頭部１８ａにドライバー等の工具を掛け止めて捻回し、ナット２０を引き付けることを通して可動ブロック４ｂを固定ブロック４ａ側に引き寄せ、両ブロック間を繋ぐ弾性撓み片７、７を圧縮する。
【００４５】
上記調節ねじ１８による可動ブロック４ｂの引き付けが行われると、ブロック４ｂは長孔１７をガイドにして固定ブロック４ａ側に移動すると共に、両ブロック間に突き合った状態に延びる案内突片１０、１１同士が深く噛み合うように進行するため両ブロックは装着部６上において直線的に接近し、左右の弾性撓み片７、７を均一に圧縮し、それぞれを撓ませ外方に向けて膨出させることになる。
【００４６】
尚、弾性撓み片７、７は素材の弾性によって撓むことになるが、調節ねじ１８の捻回によって撓むことができるように成形時にその幅、肉厚を選択することは言うまでもない。またこの撓みを誘導するため、また必要な膨出状態を得るため固定ブロック４ａと可動ブロック４ｂとの間には所要の間隔を設定することになる。
【００４７】
図９及び図１０は、鴨居２のレール３に案内突条５、案内具４を下から差し入れて引き戸１を建て付けた状態（図１を参照）からこの引き戸１を躯体の戸当り部２５に衝き当て閉塞した状態における要部の側面図と縦断面図で、図中における符号２６は前記レール３の端部に装着し、引き戸１の開閉操作時に戸当り部２５との衝突を緩和し、衝突音の発生等を抑制するブレーキ部材である。
【００４８】
このブレーキ部材２６は合成樹脂を素材に形成されるもので、図１２乃至図１４に示したようにレール３の内形に適合した断面門形に形成して対向する側壁２６ａ、２６ａの内壁面２７、２７は肉厚にして隆起させ、この内壁面２７、２７の両端部を外に向けて徐々に肉薄にするテーパー面２８、２８にしている。
このブレーキ部材２６はレール３の端部から差し入れ内壁面に密着させた状態で嵌め付けたのち、透孔２９を通してねじ３０をレール３、そして鴨居２に揉み込むことによって固定される。
尚、図面にはレール３の一方の端部に装着した状態を示すが、必要に応じて他方の端部にも同様に装着する。
【００４９】
この様にしてブレーキ部材２６を端部に装着したレール３に対して、案内具４を下から差し入れ滑合させた引き戸１は、下端部を図示しない敷居に載置することによって上下を支持され、敷居及びレール３に沿って開閉操作されることになる。
レール３に滑合される案内具４は、レール３に差し入れたのち、引き戸１の当り框１ａ側に露出する凹部２１にドライバー等を差し入れて調節ねじの頭部１８ａを捻回し、固定ブロック４ａ側に可動ブロック４ｂを引き寄せ、これに伴わせて左右の弾性撓み片７、７を圧縮して前述したようにそれぞれ外方に膨出させ、それぞれの片の外側面をレール３の側壁面３ａの内面に接近させ、レール３との間隔を調整する。
【００５０】
図１５はレール３に案内具４を差し入れた状態を示し、図１６はその後調節ねじ１８を捻回して左右の弾性撓み片７、７を膨出させた状態を示す。
この弾性撓み片７、７の膨出によって側壁面３ａ、３ａとの間隔が狭まり、レール３の中心部に安定的に収まることになる。同時に、この膨出により係止突条３ｂ、３ｂに係合可能な状態となり、このままの状態ではレール３から引き出せない状態となる。
【００５１】
図１７は、この様にしてレール３に滑合した案内具４が敷居から引き戸１が外れることによって落下したとき、弾性撓み片７が前記係止突条３ｂに係合してレール３からの脱出、更に言えば抜け出すことによって引き戸１が敷居と鴨居２から外れて転倒するのを未然に防止する状態を示したものである。
【００５２】
さて、この様にしてレール３に案内具４を滑合させて建て付けられた引き戸１は、レール３に沿って安定的に摺動支持されると共に、閉塞のため戸当り部２５に向けて引かれると、案内具４がレール３の端部に達したところでブレーキ部材２６に突入するため自動的に走行速度が落とされ、静かに戸当り部２５に衝突することになる。
【００５３】
図１１は、上記引き戸１の閉塞によって案内具４がブレーキ部材２６に侵入を開始した姿を示したもので、膨出する弾性撓み片７、７はブレーキ部材２６のテーパー面２８を通過しながら内方に押し込まれ、変形して弾性反発力を強めながら隆起する内壁面２７、２７間に突き進んで摩擦抵抗を高め、引き戸１の走行速度を落とすことになる。
【００５４】
以上の説明から明らかなように、案内具４を装着した引き戸１は、この案内具４をレール３、即ち鴨居２に設ける溝に滑合させることによって、敷居上に起立した状態に保持されると共に、レール３に対してこの案内具４を介して常に適切な空隙を保って滑合させることができるため、安定した支持が得られ、しかも弾性撓み片７、７を介してレール３と接触するため無用な騒音を発することもなく、静かに開閉操作することができるものとなる。
【００５５】
また、この案内具４は前記弾性撓み片７、７の膨出量を調整する調節ねじ１８を引き戸１の戸当り框側の端部において調節操作を行うことができるため、建て付け時には勿論のこと、使用時においても自由に調節し、常に最適な状態にしておけることになる。
【００５６】
更に本発明案内具４はこれの主体部を構成する固定ブロック４ａ、可動ブロック４ｂと共に両ブロックを繋ぐ弾性撓み片７、７、更には両ブロックの引き付けに当って両者を誘導する案内突片１０、１１等を合成樹脂を材料にして一体成形し、一部品として製造することができるため、製造性に優れると共に、この様に一部品となることから引き戸１に対する取り付けも、ねじ２３の揉み込みによって簡単に装着することができ、その取扱いは極めて容易である。
【実施例２】
【００５７】
図１８乃至図２０は、案内具４０を構成する主体部の他の実施形態を示す第２の実施例である。
この実施例は、固定ブロック４０ａから突出する案内突片４１と可動ブロック４０ｂから突出する案内突片４２の向い合せとなる面に爪４３と、この爪４３に噛み合う波形突起４４を設けて図示しない調節ねじによって固定及び可動ブロック４０ａ、４０ｂを引き寄せたとき、上記爪４３を波形突起４４上にカチカチと滑らせて調節ねじによるブロック相互の引き付け、ひいてはこの引き寄せによる左右の弾性撓み片４５、４５の膨出状態を確認できるようにした場合である。
【００５８】
調節ねじによる弾性撓み片４５、４５の膨出量の調整は、前述したように案内具をレール３に滑合させた状態で行うことから外視することが難しく、従って工具による捻回操作により手を通して感じることで調節量を計ることになるが、実際には正確に感じ取れないことから、ここでは爪４３を波形突起４４との噛み合いによって生ずるクリック感を以って計ろうとしたものである。
【００５９】
このため、ここでは予め波形突起４４の１つの突起を爪４３が超えたとき、弾性撓み片４５、４５の膨出量がどの程度変化し、レール３との間隔が変化するかを定めておくことになり、これを目安に調節ねじの捻回操作が行われることになる。
【００６０】
図中４６、４７は調節ねじを通すための挿通孔であり、４８はナットの埋設溝、４９、５０は調節ねじの両端部を受け入れる凹部、５１は止めねじの透孔で、５２は止めねじを通す長孔である。
尚、ここでは上記挿通孔４７は上方に開放しており、実質的には溝となっている。そして、前記実施例１に比較したとき弾性撓み片４５は短小なものとなっている反面、上下の幅を大にしている。従って、調節ねじによって圧縮させたとき急角度で膨出し、レール３の内側面に対して面的な接触状態から点接触に近い状態で接触するようにして、開閉操作時の引き戸の走行において摩擦抵抗を小さくし、円滑な開閉が行われるようにしている。
【実施例３】
【００６１】
図２１及び図２２は、ブレーキ部材６０の側壁部６０ａ、６０ａの下端縁部から内向きの係止片６０ｂ、６０ｂを一体に延設し、このブレーキ部材に滑合する案内具４が引き戸１の脱落に伴って抜け出ることがあったとき、弾性撓み片７、４５が外れないようにした例である。
前述したように、案内具４、４０はレール３に滑合するとき、このレール３の係止突条３ｂに弾性撓み片７、４５が係合可能な状態で収まるが、案内具４、４０がレール３の端部に位置するとき、つまり閉塞若しくは開放状態にあるときはブレーキ部材２６内に収まって、その側壁２６ａによって弾性撓み片７、４５が内側に押し込まれ、前記係止突条３ｂとの係合が不可な状態となる。
【００６２】
上記係止片６０ｂは、このとき案内具の脱出を防止するもので、引き戸１が脱落してレール３から外れる事態が発生したときレール３の係止突条３ｂに代わって掛け止め抜け出しを止めて引き戸１の転倒を防止することになる。
【図面の簡単な説明】
【００６３】
【図１】本発明に係る引き戸の案内具を介してレールに引き戸を建て付けた状態を示す使用状態の説明図である。
【図２】実施例１における案内具の平面図である。
【図３】図２のＡ−Ａ断面図である。
【図４】図２のＢ−Ｂ断面図である。
【図５】案内具の下面側から見た斜視図である。
【図６】案内具を引き戸に装着する状態を説明する分解斜視図である。
【図７】案内具をレールに差し入れた状態の一部断面とした平面図である。
【図８】案内具の弾性撓み片をレールの内部で膨出させた状態の一部断面とした平面図である。
【図９】鴨居のレールに対して案内具を差し入れた状態を説明する側面図である。
【図１０】図９のＣ−Ｃ線断面図である。
【図１１】図９のＤ−Ｄ線に沿って断面とした案内具がブレーキ部材に侵入した直後における平面図である。
【図１２】レールとレールに装着されるブレーキ部材の関係を説明する下面側から見た斜視図である。
【図１３】ブレーキ部材の底面図である。
【図１４】図１３のＥ−Ｅ線断面図である。
【図１５】レールに対して案内具を差し入れた状態を説明する側面図である。
【図１６】レールに差し入れた案内具の弾性撓み片を膨出させた状態を説明する側面図である。
【図１７】引き戸が脱落し、案内具の弾性撓み片がレールの係止突条に係合した状態を説明する側面図である。
【図１８】実施例２の案内具の主体部の平面図である。
【図１９】実施例２の案内具の主体部の正面図である。
【図２０】図１８のＦ−Ｆ線断面図である。
【図２１】実施例３のブレーキ部材の側面図である。
【図２２】図２１のＧ−Ｇ線断面図である。
【符号の説明】
【００６４】
１          引き戸
２          鴨居
３          レール
３ａ        レールの側壁
３ｂ        レールの係止突条
４          案内具
４ａ        案内具の固定ブロック
４ｂ        案内具の可動ブロック
７          弾性撓み片
８          固定ブロックの対向面
９          可動ブロックの対向面
１０、１１  案内突片
１２、１３  調節ねじの挿通孔
１４、１５  取付台
１６        ねじの透孔
１７        ねじの長孔
１８        調節ねじ
１８ａ      調節ねじの頭部
２０        ナット
２１、２２  凹部
２３        ねじ
２６        ブレーキ部材
２７        ブレーキ部材の内壁面
２８        ブレーキ部材のテーパー面
４０        実施例２における案内具
４０ａ      案内具の固定ブロック
４０ｂ      案内具の可動ブロック
４１、４２  案内突片
４３        爪
４４        波形突起
４５        弾性撓み片
６０        実施例３におけるブレーキ部材
６０ｂ      係止片
【図１】
0005074175.tif 000002
【図２】
0005074175.tif 000003
【図３】
0005074175.tif 000004
【図４】
0005074175.tif 000005
【図５】
0005074175.tif 000006
【図６】
0005074175.tif 000007
【図７】
0005074175.tif 000008
【図８】
0005074175.tif 000009
【図９】
0005074175.tif 000010
【図１０】
0005074175.tif 000011
【図１１】
0005074175.tif 000012
【図１２】
0005074175.tif 000013
【図１３】
0005074175.tif 000014
【図１４】
0005074175.tif 000015
【図１５】
0005074175.tif 000016
【図１６】
0005074175.tif 000017
【図１７】
0005074175.tif 000018
【図１８】
0005074175.tif 000019
【図１９】
0005074175.tif 000020
【図２０】
0005074175.tif 000021
【図２１】
0005074175.tif 000022
【図２２】
0005074175.tif 000023